(57)【特許請求の範囲】
【請求項１】
基地局から遠く離れた位置で基地局によって提供されたサー
ビスの質をチェックする方法であって、
基地局および遠隔位置にあるコールトランシーバー間でコール信号を伝送し、
前記コール信号の質を示す少なくとも１つのパラメタを決定するために前記遠隔位置で少なくともいくつかの前記コール信号を分析し、
前記遠隔位置の制御トランシーバーから基地局へ前記少なくとも１つのパラメタを送信することを含む方法。
【請求項２】
コール信号を伝送することが、コール信号を前記コールトランシーバーへ送信し、コール信号を前記制御トランシーバーから返すことを含む請求項１による方法。
【請求項３】
コール信号を伝送することがディジタル信号を伝送することを含む請求項１による方法。
【請求項４】
前記制御トランシーバーへ制御信号を送信することを含み、基地局および前記コールトランシーバー間でコール信号を伝送することが制御信号に応答してコール信号を送信することを含む請求項１による方法。
【請求項５】
制御信号を送信することが前記制御トランシーバーに制御ソフトウェアをダウンロードすることを含む請求項４による方法。
【請求項６】
コール信号を送信することが基地局および遠隔位置から遠く離れたテスト施設からのコール信号を開始することを含む請求項１による方法。
【請求項７】
コール信号を開始することがテスト施設でコール信号を受信することを含む請求項６による方法。
【請求項８】
基地局から遠く離れた位置で基地局によって提供されたサービスの質をチェックする方法であって、
遠隔位置にある制御トランシーバーに基地局または基地局から遠く離れたテスト施設から制御信号を送信し、
制御信号に応答して基地局および遠隔位置にあるコールトランシーバー間でコール信号を伝送し、
前記コール信号の質を示す少なくとも１つのパラメタを決定するために少なくともいくつかの前記コール信号を分析することを含む方法。
【請求項９】
少なくともいくつかのコール信号を分析することが、基地局において少なくともいくつかのコール信号を分析することを含む請求項８による方法。
【請求項１０】
少なくともいくつかのコール信号を分析することが、遠隔位置で少なくともいくつかのコール信号を分析することを含む請求項８による方法。
【請求項１１】
少なくともいくつかのコール信号を分析することが、遠隔位置および基地局から遠く離れたテスト施設で少なくともいくつかのコール信号を分析することを含む請求項８による方法。
【請求項１２】
基地局から遠く離れた複数の位置で複数の基地局によって提供されたサービスの質をチェックする方法であって、
複数の基地局の１つおよび複数の遠隔位置の１つにあるコールトランシーバー間でコール信号を伝送し、
前記コール信号の質を示す少なくとも１つのパラメタを決定するために前記遠隔位置で少なくともいくつかの前記コール信号を分析し、
前記遠隔位置の１つにある制御トランシーバーから複数の基地局の１つへ前記少なくとも１つのパラメタを送信することを含む方法。
【請求項１３】
コール信号を伝送することが第１の基地局からコール信号を送信することを含み、少なくとも１つのパラメタを送信することが少なくとも１つのパラメタを第２の基地局へ送信することを含む請求項１２による方法。
【請求項１４】
コール信号を伝送することが第１の基地局からコール信号を送信することを含み、少なくとも１つのパラメタを送信することが少なくとも１つのパラメタを第１の基地局へ送信することを含む請求項１２による方法。
【請求項１５】
コール信号を伝送することが複数の基地局から遠く離れた位置からのコール信号を開始することを含む請求項１４による方法。
【請求項１６】
コール信号を開始することが複数の基地局から遠く離れた位置でコール信号を受信することを含む請求項１５による方法。
【請求項１７】
基地局から遠く離れた位置で基地局によって提供されたサービスの質をチェックする方法であって、
遠隔位置にある制御トランシーバーに制御信号を送信し、
遠隔位置にあるコールトランシーバーおよび制御信号に応答する制御トランシーバー間で基地局を経てコール信号を伝送し、
前記コール信号の質を示す少なくとも１つのパラメタを決定するために少なくともいくつかの前記コール信号を分析することを含む方法。
【請求項１８】
少なくともいくつかのコール信号を分析することが、遠隔位置および基地局から遠く離れたテスト施設で少なくともいくつかのコール信号を分析することを含む請求項１７による方法。
【請求項１９】
基地局から遠く離れた位置で基地局により提供されたサービスの質をチェックする装置であって、
空中により基地局と通信するコールトランシーバーおよび制御トランシーバーと、
コール信号の質を示す少なくとも１つのパラメタを決定するために、基地局から少なくとも１つのコールトランシーバーにより受信された前記コール信号を分析し、もう一方の制御トランシーバーを通して基地局へ前記パラメタを伝送する中央演算処理ユニットとを含む装置。
【請求項２０】
トランシーバーがセルラー電話を含む請求項１９による装置。
【請求項２１】
前記中央演算処理ユニットが前記制御トランシーバーにより受信された制御信号に応答してコール信号を分析する請求項１９による装置。
【請求項２２】
基地局からパラメタを受信し、基地局の性能を評価するテ
スト施設を含む請求項１９による装置。
【発明の詳細な説明】
【０００１】
発明の分野
本発明は一般に通信システムの性能テスト、特にセルラー電話システムの質をチェックすることに関係する。
【０００２】
発明の背景
与えられた領域で作動するセルラー電話システムは、領域内の携帯電話から信号を受信し、携帯電話に信号を送信することができる、複数のベーストランシーバーステーション(BTS)を含む。提供されるサービス(QoS)の質はシステムの重要な態様であり、従って、システムオペレーターはそれぞれの基地局によって提供されたサービスの質の測定を必要とする。
【０００３】
ここに引用文献として組込まれた、Gulledgeに与えられた、米国特許5,490,204はセルラーネットワークの自動化された質査定システムについて説明する。基地局によって提供されたサービスの質をチェックするために、そのシステムはステーションシステムコントローラとセルラー電話に結合されるラップトップコンピュータを含んでいるモバイル局を使用する。
【０００４】
カリフォルニア、サンノゼのAirlink Communications, Inc.はAirlink CDPD(Cellular Digital Packet Data)Cell Wizardと呼ばれる、フィールド診断および測定ツールを生産する。そのツールは、CDPDモデムとオペレータがネットワークにおける知られている位置で問題を確認することを可能にする全地球側位システム(GPS)受信器に結合されるラップトップコンピュータを含む。
【０００５】
カリフォルニア、コビナのAmeritec Corporationは、SWARMと呼ばれる問題識別システムを生産する。そのシステムは、基地局およびマスターユニットによって遠隔操作される複数のモバイル応答器と結合されたマスターユニットを含む。各応答器はセルラー電話と制御回路を含む。マスターユニットは、応答器へのコールを発しかつ終えて、多重トーンテスト方法を使用してオーディオ質を測定することができる。応答器はネットワークパラメトリックテストを実行し、結果はマスターユニットにアップロードされる。
【０００６】
発明の概要
本発明のいくつかの態様の目的は、ベーストランシーバーステーションによってセルラー電話システムに提供されるサービスの質をチェックする改良された方法と装置を提供することである。
【０００７】
本発明のいくつかの態様の他の目的は、コールの略同時伝送およびコールの質の分析について方法と装置を提供することである。
【０００８】
本発明のいくつかの態様の他の目的は、符号分割多重接続電話システムによって提供されるサービスの質をチェックするための改良された方法と装置を提供することである。
【０００９】
本発明の好ましい実施例では、サービスの質(QoS)のチェッカーユニットは２つのトランシーバー、最も好ましくは全天候性の包囲に取り付けられたセルラー電話を含む。ユニットが基地局と連絡内の領域であるが基地局から遠く離れて配置され、基地局のためにサービスの質チェッカーユニットとして作動する。ユニットはポールや壁などの固定物に取着けられるか、またはモバイル車に取り付けられてもよい。
【００１０】
ここにコールトランシーバーと呼ばれる２つのトランシーバーの１つは、基地局を通ってコール信号を受信し、コール信号を返すために使用される。コール信号はトランシーバーに向けられたコール信号であってもよく、またはコールトランシーバーによって受信される他の無線周波数信号であってもよい。QoSユニットはコントローラを含み、そのコントローラは受信されおよび／または返されたコール信号の測定を実行して、測定値に基づいて基地局からの伝送のサービスの質(QoS)を示すパラメタを計算する。ここに制御トランシーバーと呼ばれるもう一方のトランシーバーは、さらなる分析のためQoSパラメタを含んでいるデータ信号を送信するためにコールトランシーバーと独立して使用される。コール受信器が受信しているのと略同時に、またはある遅れた時間に、制御トランシーバーはデータを送信してもよい。制御トランシーバーはまた、データ信号、例えば、コールトランシーバーの制御情報および／または基地局を通して送信された、実行されるべき測定に関する指示を含むデータを受け取るのに使用される。
【００１１】
本発明のいくつかの好ましい実施例において、コール信号および／またはデータ転送は基地局およびユニットから遠く離れてテスト施設によって開始される。代わりに、コール信号および／またはデータ転送はテスト施設への伝送のためユニットにより開始される。好ましくは、テスト施設は、産業標準プロトコルを使用して基地局を経てユニットと通信する。最も好ましくは、テスト施設は、インターネットなどの産業標準ネットワークを経て産業標準ブラウザを使用してユーザと通信することができる専用サーバを含む。
【００１２】
本発明のいくつかの好ましい実施例では、制御ソフトウェアはユニットが実質的に独自かつ自動的に作動することを可能にするコントローラにロードされる。最も好ましくは、制御ソフトウェアは、ユニットがコール信号を開始および受信し、コール信号を分析し、ユニットに含まれるメモリに分析の結果を記憶するための指示を含む。制御ソフトウェアは、ユニットに外部コネクタを通して、または、制御トランシーバーを経て空中(OTA)で更新されてもよい。ソフトウェアが更新されている間、ユニットは以前にインストールされたソフトウェアに従って、コールトランシーバーを通してコール信号を開始し、受信し、分析し続けることができる。単一のトランシーバーを使用している技術において現在知られたシステムと比べて、コール信号用の１つとデータ転送用の１つのユニットにおける２つのトランシーバーの使用は、システムの柔軟性と実時間動作をかなり改良することが認められるであろう。
【００１３】
本発明のいくつかの好ましい実施例では、発せられたコールは自動的に「ループドバック」され、すなわち、コールおよび／またはコールからの分析データは自動的にコールのオリジネータに返される。返されたコールと開始コールの比較または分析データが、コールのために作られるべきサービス測定の質を可能にする。
【００１４】
本発明のいくつかの好ましい実施例において、開始されまたは受信されたコールはディジタル信号の形であり、ディジタル信号がQoSを測定するために分析される。セルラー電話伝送は、典型的にネットワーク動作の分析が難しい符号分割多元接続(CDMA)のような周波数拡散スペクトル伝送の形である。ネットワークがスペクトル拡散伝送のこれらの型の１つで運用されているとき、ディジタル信号伝送の使用と分析は、本発明の総合的なネットワーク分析能力をかなり高める。
【００１５】
本発明のいくつかの好ましい実施例では、チェッカーユニットおよび基地局間のコールは、基地局によって開始されてユニットで終わるか、その逆である。
【００１６】
本発明のいくつかの好ましい実施例では、コールは基地局を経てコールトランシーバーと制御トランシーバーとの間でなされ、そしてコールは分析される。
【００１７】
本発明のいくつかの好ましい実施例において、複数のQoSチェッカーユニットが複数の基地局と連絡内に配置されるが、複数の基地局から遠く離れて位置し、テスト施設によって作動されかつ制御される。
【００１８】
したがって、本発明の好ましい実施例によれば、基地局から遠く離れた位置で、基地局によって提供されたサービスの質をチェックする方法が提供され、その方法は、
遠隔位置で基地局およびコールトランシーバー間で信号を伝送し;
信号の質を示す少なくとも1つのパラメタを定式化するために遠隔位置で少なくともいくつかの信号を分析し;そして、
遠隔位置で制御トランシーバーから基地局へ少なくとも1つのパラメタを送信することを含む。
【００１９】
好ましくは、信号を伝送することはコール信号をトランシーバーに送信し、トランシーバーからコール信号を返すことを含む。
【００２０】
好ましくは、信号を送信することは、ディジタル信号を送信することを含む。
【００２１】
好ましくは、方法は、制御信号を制御トランシーバーに送信することを含み、ここに、基地局およびコールトランシーバー間の信号伝送は制御信号に応答する信号を送信することを含む。
【００２２】
代わりに、制御信号を送信することは、制御ソフトウェアを制御トランシーバーにダウンロードすることを含む。
【００２３】
好ましくは、信号を送信することは、基地局および遠隔位置から遠く離れているテスト施設からの信号を開始することを含む。
【００２４】
代わりに、信号を開始することは、テスト施設で信号を受信することを含む。
【００２５】
本発明の好ましい実施例によれば、基地局から遠く離れた位置で基地局によって提供されたサービスの質をチェックする方法がさらに提供され、その方法は、
遠隔位置で制御トランシーバーに制御信号を送信し;
制御信号に応答して基地局および遠隔位置にあるコールトランシーバー間でコール信号を伝送し;そして
信号の質を示す少なくとも1つのパラメタを定式化するために少なくともいくつかの信号を分析することを含む。
【００２６】
好ましくは、少なくともいくつかの信号を分析することが、基地局で少なくとものいくつかの信号を分析することを含む。
【００２７】
代わりに、少なくともいくつかの信号を分析することが、遠隔位置で少なくともいくつかの信号を分析することを含む。
【００２８】
代わりに、少なくともいくつかの信号を分析することが、遠隔位置および基地局から遠く離れたテスト施設で少なくともいくつかの信号を分析することを含む。
【００２９】
本発明の好ましい実施例にによれば、基地局から複数の遠く離れた位置で複数の基地局によって提供されたサービスの質をチェックする方法がさらに提供され、その方法は、
複数の基地局の１つおよび複数の遠隔位置の１つにあるコールトランシーバー間で信号を伝送し;
信号の質を示す少なくとも1つのパラメタを定式化するために遠隔位置で少なくともいくつかの信号を分析し;そして
遠隔位置の1つにある制御トランシーバーから複数の基地局の1つへ少なくとも1つのパラメタを送信することを含む。
【００３０】
好ましくは、信号を送信することは、第１の基地局から信号を送信することを含み、少なくとも1つのパラメタを送信することが少なくとも1つのパラメタを第２の基地局へ送信することを含む。
【００３１】
代わりに、信号を送信することは、第１の基地局から信号を送信することを含み、少なくとも1つのパラメタを送信することが少なくとも1つのパラメタを第１の基地局へ送信することを含む。
【００３２】
好ましくは、信号を送信することは、複数の基地局から遠く離れた位置からの信号を開始することを含む。
【００３３】
代わりに、信号を開始することは、複数の基地局から遠く離れた位置で信号を受信することを含む。
【００３４】
本発明の好ましい実施例によれば、基地局から遠く離れた位置で基地局によって提供されたサービスの質をチェックする方法がさらに提供され、この方法は、遠隔位置で制御トランシーバーに制御信号を送信し;
遠隔位置にあるコールトランシーバーおよび制御信号に応答する制御トランシーバー間で基地局を経て信号を伝送し;そして
信号の質を示す少なくとも1つのパラメタを定式化するために少なくともいくつかの信号を分析することを含む。
【００３５】
好ましくは、少なくともいくつかの信号を分析することが、遠隔位置および基地局から遠く離れたテスト施設で少なくともいくつかの信号を分析することを含む。
【００３６】
本発明の好ましい実施例によれば、基地局から遠く離れた位置で基地局によって提供されたサービスの質をチェックする装置がさらに提供され、この装置は、空中により基地局と通信するコールトランシーバーおよび制御トランシーバーと;そして
信号の質を示す少なくとも1つのパラメタを定式化するために、基地局から少なくとも１つのトランシーバーにより受信された信号を分析し、もう一方のトランシーバーを通してパラメタを基地局に伝送する中央演算処理ユニットとを含む。
【００３７】
好ましくは、トランシーバーはセルラー電話を含む。
【００３８】
好ましくは、中央演算処理ユニットは制御トランシーバーによって受信された制御信号に応答して信号を分析する。
【００３９】
好ましくは、装置は基地局からのパラメタを受信し、基地局の性能を評価するテスト施設を含む。
【００４０】
本発明は図面とともに取られるとき、その好ましい実施例の以下の詳細な記述からより完全に理解されるであろう。
【００４１】
好ましい実施例の詳細な記述
図1を参照すると、本発明の好ましい実施例によるサービスの質(QoS)チェッカーユニット32を使用しているセルラーの無線適用範囲システム20の一般的なレイアウトを図式的に示す。システム20は基地局トランシーバー22を含み、基地局運転領域24において、セルラー電話34へ信号を送信し、セルラー電話から信号を受信する。
【００４２】
QoSチェッカーユニット32は基地局から遠く離れた領域24に位置していて、基地局と独立に作動する。コール信号は基地局とユニットとの間で伝送され、コール信号はユニットおよび／または基地局で分析される。最も好ましくは、ユニットおよび基地局間の伝送の質の1つまたはそれ以上の基準を与えている分析の結果は、例えば領域24の電話34に、領域の外の電話に、または、遠隔テスト施設35に進んで伝送される。代わりに、結果は基地局によって作用される。好ましくは、遠隔テスト施設35はユニット32のマネージャ39として作動している、中央演算処理装置37を含む。最も好ましくは、マネージャ39は、ＩＳ-707 サービスを使用しているTCP/IPなどの産業標準プロトコルを経てユニット32と通信する。ユーザ43はユーザーインタフェース41を通して、最も好ましくはハイパーテキスト転送プロトコル(HTTP)および／または小さいネットワークマネージメントプロトコル(SNMP)を利用している標準のブラウザを使用して、マネージャ39と通信することができる。好ましくは、ユーザ43およびマネージャ39間の通信は、インターネットおよび／または公衆サービス電話ネットワークなどの産業標準ネットワークを利用する。その結果、実質的に任意の点で任意の標準コンピュータステーションが、ユニット32からのテスト結果を観測するのに使用される得る。チェッカーユニット32の詳細な作動と構成、およびユニットにより提供される結果を利用するおよび／または読み出すワーキングモードは以下に説明される。
【００４３】
図2は本発明の好ましい実施例に従ってユニット32の主要な要素を示す概要ブロックダイアグラムである。最も好ましくは、ユニット32は全天候性の外側のケーシング36でケースに入れられて、領域24(図1)の不動の表面にしっかりと取り付けられ、そこで交流電源から電力を受ける。代わりに、ユニット32は例えば、動くことができるように乗り物内または乗り物上に取り付けられて、その場合、好ましくは電力は直流電源と直流-交流コンバータ56を通して提供される。
【００４４】
ユニット32はコールを受信しかつ送信するために使用される「コール」トランシーバー28、および制御と情報信号を受信しかつ送信するために使用される「制御」トランシーバー26を含む。最も好ましくは、トランシーバーは、クアルコム株式会社、サンディエゴ、カルフォルニアによって生産された2つのQCM-800電話や2つのQCM-1900電話などの800MHzか1900MHzの帯域か他の産業標準の周波数帯で作動する、必要に応じて小さな変更を有する商業的に利用可能なセルラー電話である。トランシーバー26と28は無線周波数インターフェースボード(RIB)40およびアンテナコネクタ58を通してアンテナ38に結合される。最も好ましくは、トランシーバーおよびユニット32の残りの部分間の電磁波障害は、接地された金属プレート60を使用してトランシーバーを遮蔽することによって最小にされる。
【００４５】
トランシーバー26と28の作動は中央演算処理ボード30を通して制御され、また、ボードはトランシーバーから信号を受信する。ボード30は制御トランシーバー26を通して空中により基地局22(図1)と通信し、基地局からデータと制御信号を受信する。また、ボード30はケーシング36に取り付けられたコネクタ46を通して直接データと制御信号を受信してもよく、その方法はユニット32の初期の設定に最も好ましく使用される。また、選択的に、ボード30は、技術において知られている全地球側位システム(GPS)とコネクタ42を経て通信し、それはユニット32がチェックされている領域で移動であるときに、最も好ましく利用される。
【００４６】
トランシーバー26と28と、ボード30への調整された直流電力は電力供給ボード52と直流-直流コンバータ50から供給される。また、電力供給ボード52はサーモスタットの制御を通してヒーター44を附勢し、ユニット32の周囲温度を典型的に０℃のその最小作動温度以上に維持するのに使用される。電力供給ボード52は交流コネクタ54を通してユニット32ヘ外部電源により駆動される。代わりに、ボード52は外部の直流-交流コンバータ56を通して外部直流電源によって駆動される。好ましくは、電力供給ボード52は技術で知られているように、電流サージ防御、アンダー電圧およびオーバー電圧リミタのような、その入力に保護装置を含む。
【００４７】
図3は本発明の好ましい実施例による、図2を参照して示されたいくつかの主要素の物理的なレイアウトと位置決めを示す、ユニット32の等大分解ダイヤグラムである。図2と図3で実質的に同一な要素は同じ数字を有する。トランシーバー26と28は遮蔽60の片側に取り付けられ、遮蔽はその反対側に取り付けられた中央演算処理ボード30を有する。ヒーター44がボードから電気的に絶縁され、しかし良好な熱的接触であるようにボード30の上に固定的に置かれる。電源51は電力供給ボード52に取りつけられ、次にそれはヒーター44の上に取り付けられる。ユニット32の組立中に、コネクタ42、46、54、および38はコネクタパネル64に固定的に位置して、上述したようにそれらのそれぞれのボードに結合され、その後、コネクタパネル64はケーシング36に固着される。
【００４８】
図4は本発明の好ましい実施例に従って、図2の単一ブロックとして示された無線周波数インターフェースボード40の概要ブロックダイアグラムである。ボード40は整合ネットワーク72と74を含み、ネットワークはトランシーバー26と28のそれぞれのRF入力と結合される。最も好ましくは技術で知られているウイルキンソンパワーコンバイナーであるパワーコンバイナー70が、整合ネットワークをアンテナに結合する。技術において知られているように、最も好ましくはλ/4、50Ωスタブの稲妻保護装置68がコンバイナーのアンテナ側に接続される。
【００４９】
図5は本発明の好ましい実施例に従って図2で示された中央演算処理ボード30の概要ブロックダイアグラムである。例えば、モトローラSPS Inc.フェニックス、アリゾナにより生産されたMPC86OパワーPCコアマイクロプロセッサのような中央演算処理装置(CPU)86が、ユニット32の他の構成要素と通信して制御し、ユニットにより使用されるワーキングモードを決定する。CPUは、例えば、アルテラコーポレーション、サンノゼ、カリフォルニアにより生産された7128A-10 CPLDのようなプログラマブル論理装置76を経て他の構成要素と通信する。CPUはまた、不揮発性フラッシュメモリ80および揮発性シンクロナスDRAMメモリ(SDRAM)82からデータを読み出して、それらにデータを書くことができる。(ユニット32のワーキングモードの例が以下に与えられる。)
好ましくは、CPU86を実行するコードはメモリ80に記憶され、システム始動中、コードはCPU86によってSDRAM 82に移され、プロセッサは操作中SDRAMからそのコードを読む。例えば設定/更新コネクタ46(図2)を経て、あるいは空中により、新しいまたは異なったワーキングモードが必要であるならば、メモリ80に記憶されたコードは更新されるかもしれない。また、最も好ましくは、SDRAM 82はユニット32により集められたデータを記憶するのに使用され、また、このデータはフラッシュメモリ80に移されるかもしれない。また、コールトランシーバー28または制御トランシーバー26内に記憶のコードは、CPU86の制御のもとでコネクタ46または空中を通して要求されるとき、転送されてもよい。
【００５０】
ボード30はさらにリセット制御78、およびデジタル温度センサ84を含む。例えば、サニーベル、カリフォルニアのマキシム・インテグレテッド・プロダクツにより生産されたMAX7O6TCUAのようなリセット制御78は、供給電圧が予定の範囲内にあるとき、コントローラ76により制御された構成要素へのリセット信号を非活性化することによってパワーアップで作動する。例えばサンタクララ、カリフォルニアのナショナル・セミコンダクター・コーポレーションによって生産されたLM75 のような温度センサ84は、ユニット32の温度をその最小作動温度以上および予定の範囲内に維持するために、ヒーターへの電力がいつ供給されるべきかを決定するように、サーモスタット制御としてCPU86によって使用される。
【００５１】
図6を参照すると、本発明の好ましい実施例によるユニット32の操作モードを図式的に例証するフローチャートが示される。コール信号はユニット32のコールトランシーバー28によって受信される。コール信号は基地局22を通ってトランシーバー28に向けられるコールであるか、基地局からのパイロット信号などのようなトランシーバー28によって受信される他の無線周波数信号であってもよい。好ましくは、コール信号はユニットに予めプログラムされたソフトウェアに従ってユニット32により分析され、分析されたデータはユニット内に記憶される。最も好ましくは、遠隔テスト施設35のオペレータ43またはマネージャ39(図1)が、基地局22の1つまたはそれ以上のQoSパラメタを決定するために制御トランシーバー26を通して分析されたデータにアクセスする。また、分析されたデータは必要に応じてオペレータ43またはマネージャ39によってアクセスのために、ユニット32のメモリ80またはDRAM 82(図5)内に記憶された履歴データとして、時間の期間にわたって蓄積され、記憶されてもよい。決定され得るパラメタの例は、信号強度と、フレーム誤り率と、低下しているコールの統計である。
【００５２】
コールトランシーバーを使用するコール信号の受信と制御トランシーバーを使用するデータへのアクセスが、互いから実質的に独立していることが理解されるであろう。したがって、コールトランシーバーがコール信号を受信し続けている間、オペレータ43またはマネージャ39はユニット32から記憶された実質的にリアルタイムの分析データおよび／または履歴データにアクセスし得る。
【００５３】
図7Aと図7Bは本発明の好ましい実施例によるユニット32の「ループバック」操作モードを図式的に例証するフローチャートである。ループバックモードでは、ユニット32はコールを受けて、自動的にコールおよび／またはコールを測定しているデータをコールのオリジネータに返す。図7Aはコールが基地局22からの遠隔なソースから、例えば、オペレータ43またはマネージャ39から発するときに含まれるステップを示す。コールはユニット32のコールトランシーバー28にBTS 22を通して転送され、次に、コールはコールのオリジネータに（BTSを経て）ループバックされる。ユニット32および／または遠隔ソースは、ユニットと遠隔ソースに予めプログラムされたソフトウェアに従って、基地局の1つまたはそれ以上のQoSパラメタを決定するために、実質的にリアルタイムでコールを分析することができる。ユニット32がコールを分析する場合、分析はユニット32の制御トランシーバー26を通してコールオリジネータによってアクセスされてもよい。
【００５４】
図7B は、BTS 22が例えばソフトウェアによる予めプログラムされたコールを基地局内に発するときのステップを示す。コールはユニット32のコールトランシーバー28によって受信され、次に、ユニットはコールをBTS 22にループバックする。ユニット32および／または基地局22は、ユニットと基地局内に予めプログラムされたソフトウェアに従って、図7Aを参照して上述されたようにコールを分析する。図7Bによって例証された操作のモードは、自己テスト機能を実行するためにBTSによって通常使用される。図7Aと7Bで例証された操作のモードは、以下により詳細に説明されるマーコフコールなどのデジタルコール信号がループバックされるとき、通常使用される。
【００５５】
マーコフコールはループバックCDMAコールであり、そこでオリジネータは予定されたアルゴリズムに従ってビットの予め定義されたシーケンスを受信器に送り、受信器はビットのシーケンスをオリジネータに返す。技術で知られているように、オリジナルのシーケンスと受信されたビットの比較は、オリジネータまたは受信器のどちらかが伝送の質の客観的な決定をなすことを可能にする。最も好ましくは、コールオリジネータおよびユニット32に負荷されたソフトウェアは、マーコフコールの受領および分析を可能にし、その結果、伝送の質の客観的な分析がなされ得る。
【００５６】
図8Aと8Bは本発明の好ましい実施例によるユニット32のデータ転送操作モードを図式的に例証するフローチャートである。図8Aはユニット32への一方向データ転送に含まれるステップを示す。ステップは外部のシステムからユニット32へ空中により、ユニット内の目標にソフトウェアコード(S/W)をダウンロードする方法を示す。目標は、例えばユニット32を制御しているソフトウェアがアップグレードされるべきとき、フラッシュメモリ80(図5)であるかもしれず、ユニット32のコールトランシーバー28または制御トランシーバー26内のメモリであるかもしれない。図8Aに示されるように、開始コールは論理装置76を経てCPU86へ伝えられるコールに埋め込まれているデータ伝送の通知を有する。コールがユニット32により受信されるとき、CPU86はユニット32の要素をデータ受信モードへ切り換えるように命令し、そのデータは最も好ましくは、制御トランシーバー26を利用することで受信される。移されるべきソフトウェアコードは、最初にトランシーバー26、論理装置76、およびCPU86を通してシンクロナスDRAM82にダウンロードされる。ソフトウェアのための最終的な目標によって、ダウンロードされたソフトウェアはコールまたは制御トランシーバーの適切なメモリ、またはフラッシュメモリ80に転送される。
【００５７】
図8Bは、例えばユニット32のフラッシュメモリに記憶された分析パラメタの1つがチェックされるべきであるならば、ユニット32でニ方向データ通信に含まれるステップを示す。開始コールを受信後に、ユニット32は最も好ましくは制御トランシーバー26を利用して受信／送信モードへ切り換える。次にデータ値の要求がユニット32に送信され、コールオリジネータに存在する、およびユニットに存在する予め定義されたソフトウェアに応じて、値はコールオリジネータにユニット32により返される。
【００５８】
図9は本発明の好ましい実施例によるユニット32のコールトランシーバー28および制御トランシーバー26間の通信を図式的に例証するフローチャートである。コールはコールトランシーバー28によって、BTS 22を通して制御トランシーバー26へ発せられる。好ましくは、コールはユニット32内に予めプログラムされたソフトウェアに従って発せられる。代わりに、コールはオペレータ43またはマネージャ39からの信号に応答して発せられる。コールはユニット32により分析され、分析からのデータは図6を参照して上述されたように、アクセスのためユニット32に記憶される。ループバックテストが遠隔コール終了のかかわり合いなしで実行されることになっているとき、またはネットワーク負荷が負荷テストの間作成されることになっているとき、図9に示された操作のモードが通常使用される。
【００５９】
図10は本発明の好ましい実施例によると複数のQoSユニット132、複数のQoSユニット232、および複数のQoSユニット332を使用して、セル無線適用範囲ネットワーク100の一般的なレイアウトを図式的に示す。ユニット132、232および332の内部の動作および構成はユニット32(図1、2、3、4、および5)のものと実質的に同じであり、異なった数字は、ネットワーク100内の複数のユニットの位置を区別するために以下の記述で使用される。ネットワーク100における以下の記述がネットワーク内の２つの無線適用範囲システムについて言及するが、ネットワーク100は無線適用範囲システムの任意の整数で構成されてもよい。
【００６０】
ネットワーク100は、領域124と通信しているベーストランシーバーステーション122を有する第1セルラー無線適用範囲システム120、および領域224と通信しているベーストランシーバーステーション222を有する第2セルラー無線適用範囲システム220を含む。領域324は領域124および領域224のオーバーラップする領域である。領域324に位置するのではなく、領域124に位置するユニット132は、基地局122と通信する。領域324ではなく領域224に位置するユニット232は基地局222と通信する。領域324に位置するユニット332は基地局122および／または基地局222と通信し得る。それぞれ複数のユニット132、232および332は固定的に位置付けられ、またはシステム20(図1)で上述されたように基地局122および222から遠く離れた位置でネットワーク100内を移動し得る。
【００６１】
ネットワーク100は、中央演算処理ユニット37、マネージャ39、ユーザーインタフェース41、およびユーザ43を含み、システム20(図1)で上述されたようにそれぞれユニット132、232、または332と通信することができるテスト施設35をさらに含む。したがって、マネージャ39および／またはユーザ43はネットワーク100で各ユニットと直接通信することができる。例えば、マネージャ39および／またはユーザ43はタイムスライス方法でネットワーク100の特定の領域における予め選択された数のユニットと通信してもよい。マネージャ39および／またはユーザ43が特定の領域でBTS動作とQoSを評価することを欲するとき、操作のこのモードは役に立つ。
【００６２】
図11を参照すると、本発明の好ましい実施例による複数のユニット332の1つで「円形」のループバック操作モードを図式的に例証するフローチャートが示される。円形のループバックモードにおいて、複数のユニット332の１つは第１の基地局を経てコールを受信し、第２の基地局を通ってコールのオリジネータにコールおよび／またはコールを測定しているデータを自動的に返す。マネージャ39および／またはユーザ43は基地局の１つを通して複数のユニット332の１つへのコールを開始し、コールはユニットのコールトランシーバーによって受信され、そこでコールが分析される。分析からのデータは、ユニットの制御トランシーバーからマネージャ39および／またはユーザ43へ、基地局の他方を通してループバックされる。したがって、ループの順方向と戻りの経路は異なった基地局を経由する。上述された操作の円形ループバックモードは、例えば１つの基地局を経由する通信が弱い信号のために困難であるとき、マネージャまたはユーザがシステムのQoSを決定する能力をかなり改良する。チェッキングユニットに２つのトランシーバーがあるときのみ、操作の円形ループバックモードが実行可能であることが認識されるであろう。
【００６３】
かくして、チェッキングユニットにおける２つのトランシーバーの使用は１つのトランシーバーしか持っていないユニットと比べて、基地局からセルラー電話への伝送の質を測定することに関してユニットの柔軟性と効力を実質的に増加させることが認識されるであろう。また、ユニットに２つのトランシーバーを利用して、特に上述されたそれらから別にチェックする他の方法が使用されてもよいことが認識されるであろう。そのようなすべての方法が本発明の範囲内で考慮されるべきである。
【００６４】
さらに、上述された好ましい実施例が例示の方法で引用され、発明の完全な範囲は請求の範囲によってのみ制限されることが認識されるであろう。
【図面の簡単な説明】
【図１】  本発明の好ましい実施例による、システムの全般的レイアウトを示す無線通信システムの概要遠近表現である。
【図２】  本発明の好ましい実施例による図１のシステムで使用するためのサービスの質チェッカーユニットの概要ブロックダイアグラムである。
【図３】  本発明の好ましい実施例による、図2のユニットのいくつかの主要素の物理的なレイアウトと位置決めを示す、等大分解ダイヤグラムである。
【図４】  本発明の好ましい実施例による図2のユニットの無線周波数インターフェースボードの概要ブロックダイアグラムである。
【図５】  本発明の好ましい実施例による図2のユニットにおける中央演算処理ボードの概要ブロックダイアグラムである。
【図６】  本発明の好ましい実施例による図2のユニットの操作モードを図式的に例証するフローチャートである。
【図７】  ＡおよびＢは，本発明の好ましい実施例による図2のユニットの「ループバック」操作モードを図式的に例証するフローチャートである。
【図８】  ＡおよびＢは、本発明の好ましい実施例による図2のユニットのデータ転送操作モードを図式的に例証するフローチャートである。
【図９】  本発明の好ましい実施例による図2のユニットの代替の操作モードを図式的に例証するフローチャートである。
【図１０】  本発明の好ましい実施例による複数のチェッカーユニットを含むネットワークの一般的なレイアウトを示す、無線通信ネットワークの概要遠近表現である。
【図１１】  本発明の好ましい実施例による図10のユニットの1つの「円形」ループバック操作モードを図式的に例証するフローチャートである。
【符号の説明】
20… 無線適用範囲システム  22… 基地局トランシーバー  24… 基地局運転領域  26… 制御トランシーバー  28… コールトランシーバー  30… 中央演算処理ボード  32… サービスチェッカーユニット  34… セルラー電話  35… 遠隔テスト施設  36… ケーシング  37… 中央演算処理装置  38… アンテナ  39… マネージャ  40… 無線周波数インターフェースボード  41… ユーザーインタフェース  42．46… コネクタ  43… ユーザ  44… ヒーター  50… 直流コンバータ  51… 電源  52… 電力供給ボード  54… 交流コネクタ  56… 交流コンバータ  58… アンテナコネクタ  60… 金属プレート  64… コネクタパネル  68… 稲妻保護装置  70… パワーコンバイナー  72… 整合ネットワーク  76… プログラマブル論理装置  78… リセット制御  80… 非揮発性フラッシュメモリ  82… メモリ  84… デジタル温度センサ  86… 中央演算処理装置  100… セル無線適用範囲ネットワーク  120… セルラー無線適用範囲システム  122… ベーストランシーバーステーション  124… 領域  132．232… ユニット  220… セルラー無線適用範囲システム  222… ベーストランシーバーステーション  224… 領域  324… 領域
【図１】
0004455763.tif 000002
【図２】
0004455763.tif 000003
【図３】
0004455763.tif 000004
【図４】
0004455763.tif 000005
【図５】
0004455763.tif 000006
【図６】
0004455763.tif 000007
【図７】
0004455763.tif 000008
【図８】
0004455763.tif 000009
【図９】
0004455763.tif 000010
【図１０】
0004455763.tif 000011
【図１１】
0004455763.tif 000012